(57)【要約】      （修正有）【課題】ペットの居住区域を衛生的に保つために、簡易な構造で、簡便に取り扱うことができる低コストのペット用トイレを提供する。【解決手段】ペット用トイレは、基板４１上に稠密に立設した多数のステム４２を有する尿受マット部４と、尿受マット部の上面の少なくとも一部を覆うように尿受マット部に着脱可能に設けられる透水性のカバーシート部５と、尿受マット部の下部または下方に配置され、ペットの尿を貯留し、貯留した尿を外部に取り出すための引出し式の尿貯留取出部３７を有するトレイ部と、を具備する。【選択図】図４
0003229498.tif 000002
【実用新案登録請求の範囲】
【請求項１】
基板上に稠密に立設した多数のステムを有する尿受マット部と、
前記尿受マット部の上面の少なくとも一部を覆うように前記尿受マット部に着脱可能に設けられる透水性のカバーシート部と、
前記尿受マット部の下部または下方に配置され、ペットの尿を貯留し、貯留した尿を外部に取り出すための引出し式の尿貯留取出部を有するトレイ部と、
を具備することを特徴とするペット用トイレ。
【請求項２】
前記尿受マット部は、通水性の前記基板と、先端部が曲がった前記ステムとを具備する人工芝であることを特徴とする請求項１に記載のペット用トイレ。
【請求項３】
前記トレイ部は水平面に対して傾斜する尿受け面を有しており、前記尿貯留取出部は前記尿受け面の最下部に取り付けられていることを特徴とする請求項１または２のいずれか１項に記載のペット用トイレ。
【考案の詳細な説明】
【技術分野】
【０００１】
本考案はペットの居住区域を衛生的で快適にするペット用トイレに関する。
【背景技術】
【０００２】
外出自粛やテレワーク普及率の上昇などの影響を受けて自宅で過ごすステイホーム時間が日々増加する傾向にあり、室内で犬や猫などのペット（愛玩動物）を飼養するケースが従前に比べて益々増えてきている。ペットを室内で飼う場合は、ペットの居住区域を取り囲むペットゲージやペットサークルが一般的に用いられており、これらのゲージやサークル内にペットの糞尿を処理するためのペット用トイレが設けられる。
【０００３】
ペット用トイレは、ペットの大きさや種類に応じて各種各様のタイプが開発実用化されている。通常、小型犬または猫を飼うためのペット用トイレでは、糞を処理するための砂と、尿を処理するための粉末状の吸水剤とが組み合わせて用いられている。
【０００４】
しかし、中型犬よりサイズが大きい犬を飼う場合、または複数の犬や猫を同じケージやサークル内で飼う場合は、糞尿の総量が多くなることから砂や吸水剤だけでは処理しきれなくなり、未処理状態にある糞尿がペットの体表に付着して不衛生になりやすい。特に、排尿量が多い大型犬では、各所に糞尿が付着して非常に不衛生になり、短時間のうちに居住環境が悪化してしまうことがある。この対策として、例えば特許文献１および特許文献２において、糞と尿とを分けて別々に処理するようにしたペット用トイレがそれぞれ提案されている。
【先行技術文献】
【特許文献】
【０００５】
【特許文献１】特開２０１８−０９３８１４号公報
【特許文献２】特開２０１９−００００７６号公報
【考案の概要】
【考案が解決しようとする課題】
【０００６】
しかしながら、従来のペット用トイレは、糞尿を分離して別々に処理するために複雑な構造や駆動機構を採用するばかりでなく、多量の消耗品を費消することから、イニシアルコストおよびランニングコストが共に高くなるという問題点がある。また、従来のペット用トイレは、複雑な駆動機構を用いるので故障が頻発するおそれがあり、その保守点検のためのメンテナンスコストが増加するという問題点もある。
【０００７】
本考案は上記課題を解決するためになされたものであり、ペットの居住区域を衛生的に保つために、簡易な構造で、簡便に取り扱うことができる低コストのペット用トイレを提供することを目的とする。
【課題を解決するための手段】
【０００８】
本考案に係るペット用トイレは、基板上に稠密に立設した多数のステムを有する尿受マット部と、前記尿受マット部の上面の少なくとも一部を覆うように前記尿受マット部に着脱可能に設けられる透水性のカバーシート部と、前記尿受マット部の下部または下方に配置され、ペットの尿を貯留し、貯留した尿を外部に取り出すための引出し式の尿貯留取出部を有するトレイ部と、を具備することを特徴とする。
【考案の効果】
【０００９】
本考案のペット用トイレによれば、清掃がしやすい簡易な構造であり、消耗品の使用量を必要最低限に抑えてあるので、製造コスト、ランニングコストおよびメンテナンスコストをそれぞれ低減することができる。特に、本考案のペット用トイレは、対象が排尿量の多い大型犬の場合であっても、低いランニングコストと低いメンテナンスコストを実現することができるという利点がある。
【図面の簡単な説明】
【００１０】
【図１】図１は、本考案のペット用トイレが設置されるペットケージの全体概要を示す斜視図。
【図２】図２は、実施形態のペット用トイレの概要を示す斜視図。
【図３】図３は、実施形態のペット用トイレの一部を切り欠いて模式的に示す概略構成断面図。
【図４】図４は、実施形態のペット用トイレの構成部品を分解してそれぞれ示す分解斜視図。
【図５】図５は、ワイドタイプの尿受マット部をさらに分解して示す分解斜視図。
【図６】図６は、尿受マット部のステムの部分を拡大して示す部分拡大斜視図。
【考案を実施するための形態】
【００１１】
以下、添付の図面を参照して本考案の種々の好ましい実施の形態を説明する。
【００１２】
室内の一画またはベランダやテラスまたは庭などの室外の一画をペットケージ１で取り囲むことにより、ペットが居住するためのペット用居住区域が画定されるようになっている。図１に示す実施形態のペットケージ１は、格子状の四側面と天井と床および開閉扉を有する中型犬用のケージであり、その大きさは、例えば、ケージ高さが約８０ｃｍ、前面の長さ（間口幅）が約１８５ｃｍ、奥行が約１２５ｃｍである。
【００１３】
図１に示すように、本考案のペット用トイレ２は、ペットケージ１の下部全体を覆うように設置され、ペット居住区域の床部を構成している。ペット用トイレ２は、図示しないレール付スライドフックおよび蝶ネジなどの各種の係合部品や締結部品を用いてペットケージ１の下部格子に取り付けられている。このようにペット用トイレ２は、年に数回行う大掃除のときにペットケージ１から容易に取り外せるようにケージ１に着脱可能に取り付けられているが、日常的にはケージ１に取り付けたままの状態でユーザーがメンテナンスフリーに使用できるようにするために図３の尿貯留取出部３７を備えている。尿貯留取出部３７の詳細については後述する。
【００１４】
図２〜図４に示すように、ペット用トイレ２は、上から順にカバーシート部５、尿受マット部４、およびトレイ部３を備えている。
【００１５】
カバーシート部５は、ペット用トイレ２の上面全体を覆い、ペットＰの糞尿のうちの尿Ｎのみを透過させる多孔質シートまたは穴あきシートを有する。多孔質シートまたは穴あきシートは、使い捨てまたは除菌洗浄して数回使用可能な消耗品であるため、ポリエチレン、ポリプロピレン、ナイロンなどのような廉価な樹脂材料でできた入手容易な市販品を用いることが好ましい。また、不織布からなる防草シートを用いることもできる。
【００１６】
カバーシート部５の多孔質シートまたは穴あきシートは、尿受マット部４の上に単に載置するだけでもよいが、ケージ下部のサイズよりも少し大きいサイズに裁断したシートの四隅と２つの長辺中央部をトレイ部３の固定部３６に図示しない固定具で固定して用いることができる。
【００１７】
尿受マット部４は、カバーシート部５を透過した尿Ｎを下方のトレイ部３に静かに流下させるために、トレイ部３とカバーシート部５との間に配置され、基板４１上に稠密に立設した多数のステム４２を有する人工芝である。尿受マット部４には、例えば全厚さが２０〜４５ｍｍのハードターフタイプの人工芝（市販品）を用いることができる。人工芝の材料には、吸湿性や吸水性がほとんど無い樹脂材料を用いることが好ましい。
【００１８】
図６に示すように、尿受マット部４は、実質的に平坦な基板４１と、この基板上に直立する多数のステム４２と、基板下部に取り付けられて基板４１およびステム４２を支持する複数の支柱４３と、を備えている。
【００１９】
基板４１は、２〜６ｍｍ厚さの合成樹脂板からなり、ペットＰの体重を支えるために十分に高い強度と剛性を有するものであるが、本考案では若干の可撓性を有することが許容される。基板４１は、角柱、円柱、円筒、台形、矩形、板などの各種形状の複数の支柱４３によって支持されている。支柱４３の相互間隔は、重くなり過ぎない範囲で、基板４１が過度に撓まない程度の距離（例えば５〜８ｃｍ）とすることが好ましい。通水性をもたせるために、基板４１には図示しない複数の貫通孔および／またはスリットが適所に形成されている。
【００２０】
図５に示すように、本実施形態ではワイドタイプの尿受マット部４を採用している。ワイドタイプの尿受マット部４は、同サイズ（９２ｃｍ×１２５ｃｍサイズ）の２つのユニットマット４Ａ、４Ｂを互いに継手部材４５により連結して成るものである。すなわち、各ユニットマット４Ａ、４Ｂの長辺にそれぞれ形成された２つの凹部４４に２個の継手部材４５をそれぞれ嵌め込むことにより、ユニットマット４Ａ、４Ｂが互いに連結され、その結果としてワイドタイプ（１８５ｃｍ×１２５ｃｍサイズ）の尿受マット部４が形成される。なお、各ユニットマット４Ａ、４Ｂは、シングルタイプ（９２ｃｍ×１２５ｃｍサイズ）のマットとして小型犬用のペットケージまたはサークルにそれぞれ使用することができるものである。
【００２１】
図６に示すように、複数本（例えば６〜９本）のステム４２を束ねたステム株が所定の間隔で基板４１上にそれぞれ直立している。各ステム４２の先端部は曲がっている。これらステム先端部の曲がり角は長手軸に対して例えば３０°〜９０°の範囲内にある。
【００２２】
このような尿受マット部４は、基板４１とステム４２と支柱４３とが一体に成形された一体成形品であることが好ましいが、少なくとも基板４１およびステム４２の部分は同じ材料を用いて一体成形されていることが望ましい。
【００２３】
尿受マット部４の人工芝材料には、ポリプロピレン、ポリエチレン、ナイロン、ポリ塩化ビニリデン（ＰＶＤＣ）のような樹脂を１種または２種以上組み合わせて用いることができる。ポリプロピレン製の人工芝は、加工性に優れているので廉価である。ポリエチレン製の人工芝は、耐久性と耐磨耗性に優れているのでランニングコストを低減できる。ナイロン製の人工芝は、手触りがやわらかく天然芝に似たソフトな触感があるため、尿受マット４部の他に前述のカバーシート部５にも採用できる可能性がある。ポリ塩化ビニリデン（ＰＶＤＣ）製の人工芝は、他の材料よりも比較的高価であるが、耐水性、耐湿性、耐候性、耐薬品性、難燃性に優れているのでランニングコストを低減できる。
【００２４】
トレイ部３は、尿受マット部４の下部または下方に配置され、尿受マット部４から流下してくる尿Ｎを集めて貯留して外部へ排出するために、第１の傾斜トレイ３１、第２の傾斜トレイ３２、開口３３、周縁ガード３４、支持部３５、固定部３６、および引出し式の尿貯留容器３９を備えている。
【００２５】
図３と図４に示すように、第１及び第２の傾斜トレイ３１,３２は、尿受トレイ部３の適所に形成された開口３３のほうに向かってそれぞれ下降傾斜している。第１の傾斜トレイ３１は、周縁ガード３４から第２の傾斜トレイ３２までの間に設けられ、水平面に対して約１°〜５°の角度の緩やかな傾斜面を有している。一方、第２の傾斜トレイ３２は、第１の傾斜トレイ３１の終端から開口３３の周縁部までの間に設けられ、水平面に対して約１０°〜２０°の角度の急な傾斜面を有している。
【００２６】
開口３３は、トレイ部３の四隅のうちの１つのコーナー寄りに形成され、その直下に取り付けられた尿受尿貯留取出部３７の流入口３８に連通している。開口３３の周縁ガイドは、下方に延び出し、流入口３８のなかに差し込まれている。本実施形態では開口３３を四角形状にしているが、これを円形状などの他の形状とすることもできる。
【００２７】
複数の支持部３５は、周縁ガード３４の内周面から内方に突出して形成され、尿受マット部４を水平に支持するための水平支持部材である。
【００２８】
複数の固定部３６は、トレイ部３をケージ１の格子に取り付けるための固定具（図示せず）とそれぞれ係合されるものである。
【００２９】
図４に示すように、尿貯留取出部３７は、トレイ部３の本体下部に着脱可能に取り付けられ、トレイ部本体の開口３３に連通する流入口３８が上面に形成された本体と、この尿貯留取出部の本体に出し入れされる引出し式の尿貯留容器３９とを備えている。
【００３０】
流入口３８のなかには開口３３の周縁ガイドが差し込まれ、トレイ部本体から尿貯留取出部３７が容易に抜け落ちないように堅固に嵌合されている。
【００３１】
尿貯留容器３９は、尿貯留取出部３７の本体から手動で引き出すことができるようにハンドルが取り付けられている。尿貯留容器３９の内面には、光触媒とフッ素樹脂とを混合した塗料を塗布してなる除菌コーティングを施こすことができる。さらに、銅イオンが除菌作用をもつ純銅または黄銅の薄板で尿貯留容器３９をつくることもできる。
【００３２】
次に、図３〜図５を参照しながら本考案に係るペット用トイレの組立設置および使用態様の一例を説明する。
【００３３】
トレイ部の開口３３の周縁ガイドを尿貯留取出部の流入口３８に差し込み嵌め合わせ、トレイ部３の本体下部に尿貯留取出部３７を取り付けて一体化する。このとき、周縁ガイドの外周サイズと流入口３８の内周サイズとの寸法許容差が極小となるように高精度に作製されているため、開口３３の周縁ガイドと流入口３８との嵌め合いが強固になり、尿貯留取出部３７がトレイ部３の本体下部から容易に抜け落ちなくなる。
【００３４】
この一体化したトレイ部本体／尿貯留取出部アッセンブリが水平になるように、尿受トレイ部本体の他の３つのコーナー部から下方にそれぞれ延び出す高さ調整部材（図示せず）により高さの調整をする。
【００３５】
高さ調整後に、トレイ部本体／尿貯留取出部アッセンブリの上に尿受マット部４を載置する。
【００３６】
次いで、その上にペットケージ１を載せ、トレイ部本体の固定部３６、図示しない固定具、図示しないレール付スライドフック、および図示しない蝶ネジを用いてトレイ部本体／尿貯留取出部／尿受マット部アッセンブリとペットケージ１とを互いに連結する。
【００３７】
最後に尿受マット部４の上にカバーシート部５を載置するか、またはカバーシート部５の四隅を他の部材に固定する。
【００３８】
以上のようにしてペット用トイレ２をペットケージ１に対して取り付けることができる。
【００３９】
完成したペット用トイレ２付きペットケージ１のなかにペットＰを収容した後は、夕方の散歩後の適当なときに本体から尿貯留容器３９を引出して溜まった尿Ｎを捨てる。尿貯留容器３９内には粉末状の適量の消臭剤および除菌剤を装入することができるが、粉末状またはゾル状の吸水剤は装入しないほうがよい。その理由は、吸水した吸水剤が膨潤すると、尿貯留容器３９を本体から引き出せなくなるからである。
【００４０】
中型犬の場合、マーキングを含まない自宅ケージ内での排尿頻度は１日当たり２〜３回程度である。排便は、散歩等の運動を行った後が多く、その頻度は１日当たり１回以下である。
【００４１】
上記の理由から、排便が有った日にはカバーシート部５を新品に交換する必要があるが、排便が無い日には必ずしもカバーシート部５を新品に交換する必要はない。
【産業上の利用可能性】
【００４２】
本考案のペット用トイレは、簡易な構造であるため取り扱いが容易であり、ケージやサークルに対して簡単に取り付けることができ、シート交換が容易であり、清掃をしやすく衛生的でメンテナンス性に優れ、消耗品の使用量を必要最低限に抑えてあるので、製造コスト、ランニングコストおよびメンテナンスコストをそれぞれ低減することができる。特に、対象が排尿量の多い大型犬の場合であっても、低いランニングコストと低いメンテナンスコストを実現することができる。
【符号の説明】
【００４３】
1…ペットケージ、2…ペット用トイレ、
3…トレイ部、31…第１の傾斜トレイ、32…第２の傾斜トレイ、33…開口、34…周縁ガード、35…支持部、36…固定部、37…尿貯留取出部、38…流入口、39…引出し式の尿貯留容器、
4…尿受マット部（ワイドタイプのマット）、4A,4B…ユニットマット（シングルタイプのマット）、41…基板、42…ステム、43…支持部、44…凹部、45…継手部材、
5…カバーシート部、
P…ペット、N…尿
【図１】
0003229498.tif 000003
【図２】
0003229498.tif 000004
【図３】
0003229498.tif 000005
【図４】
0003229498.tif 000006
【図５】
0003229498.tif 000007
【図６】
0003229498.tif 000008